(57)【要約】【課題】  コンテンツに関する掲示板で会話しているユーザ数に応じた吹き出し表現方法と、吹き出しによる会話の流れを表現する会話参加人数を反映させる。【解決手段】  本発明は、吹き出し表示する掲示板の投稿記事群のうち、最も投稿数が多い話題に関する投稿者数を求め、求められた投稿者数に基づいて、２次元の地図上に吹き出し表示する位置を決定し、吹き出しを表示する順番と吹き出し表示する投稿者の重複関係に基づいて吹き出しを表示手段に複数表示する。【選択図】  図１
2006113697.tif 000002
【特許請求の範囲】
【請求項１】
２次元の地図上のコンテンツを代表画像に配置し、また、それぞれのコンテンツが掲示板を有し、該代表画像から該掲示板の投稿記事を吹き出し表示する装置における、会話参加人数反映型会話表示方法において、
少なくとも、前記掲示板の投稿記事ＩＤ、投稿者ＩＤ、コンテンツＩＤ、投稿日時、投稿記事を含むユーザ投稿記憶手段を参照し、吹き出し表示する掲示板の投稿記事群のうち、最も投稿数が多い話題に関する投稿者数を求める投稿者数算出ステップと、
求められた前記投稿者数に基づいて、前記２次元の地図上に吹き出し表示する位置を決定する位置決定ステップと、
前記ユーザ投稿記憶手段を参照して、前記吹き出しを表示する順番と吹き出し表示する投稿者の重複関係に基づいて、吹き出しを表示手段に複数表示する表示ステップと、
を行うことを特徴とする会話参加人数反映型会話表示方法。
【請求項２】
前記表示ステップにおいて、
前記吹き出しを複数表示する際に、
表示手段に表示している吹き出しの順番に基づいて吹き出しの大きさを変化させ、また、現在吹き出し表示している投稿記事の投稿者に基づいて、新規で表示する吹き出しの位置を決定する請求項１記載の会話参加人数反映型会話表示方法。
【請求項３】
前記表示ステップにおいて、
前記ユーザ投稿記憶手段の前記投稿日時を参照して、吹き出し表示する投稿記事の時刻が古いほど、吹き出しを所定の縮小率に基づいて縮小して表示する請求項１又は、２記載の会話参加人数反映型会話表示方法。
【請求項４】
２次元の地図上のコンテンツを代表画像に配置し、また、それぞれのコンテンツが掲示板を有し、該代表画像から該掲示板の投稿記事を吹き出し表示する会話参加人数反映型会話表示装置であって、
少なくとも、前記掲示板の投稿記事ＩＤ、投稿者ＩＤ、コンテンツＩＤ、投稿日時、投稿記事を含むユーザ投稿記憶手段と、
前記ユーザ投稿記憶手段を参照し、吹き出し表示する掲示板の投稿記事群のうち、最も投稿数が多い話題に関する投稿者数を求める投稿者数算出手段と、
求められた前記投稿者数に基づいて、前記２次元の地図上に吹き出し表示する位置を決定する位置決定手段と、
前記ユーザ投稿記憶手段を参照して、前記吹き出しを表示する順番と吹き出し表示する投稿者の重複関係に基づいて、吹き出しを表示手段に複数表示する表示制御手段と、
を有することを特徴とする会話参加人数反映型会話表示装置。
【請求項５】
前記表示制御手段は、
前記吹き出しを複数表示する際に、
表示手段に表示している吹き出しの順番に基づいて吹き出しの大きさを変化させ、また、現在吹き出し表示している投稿記事の投稿者に基づいて、新規で表示する吹き出しの位置を決定する手段を含む請求項４記載の会話参加人数反映型会話表示装置。
【請求項６】
前記表示制御手段は、
前記ユーザ投稿記憶手段の前記投稿日時を参照して、吹き出し表示する投稿記事の時刻が古いほど、吹き出しを所定の縮小率に基づいて縮小して表示する手段を含む請求項４又は、５記載の会話参加人数反映型会話表示装置。
【請求項７】
２次元の地図上のコンテンツを代表画像に配置し、また、それぞれのコンテンツが掲示板を有し、該代表画像から該掲示板の投稿記事を吹き出し表示する会話参加人数反映型会話表示プログラムであって、
前記請求項１乃至３記載の会話参加人数反映型会話表示方法を実現するための処理をコンピュータに実行させることを特徴とする会話参加人数反映型会話表示プログラム。
【発明の詳細な説明】
【技術分野】
【０００１】
本発明は、会議参加人数反映型会話表示方法及び装置及びプログラムに係り、特に、ユーザが閲覧できるコンテンツを２次元空間上にサムネイルで表現し、その２次元空間上で、コンテンツに関する掲示板に書き込まれた投稿記事を可視化して利用者同士の盛り上がり感を表現するための会議参加人数反映型会話表示方法及び装置及びプログラムに関する。
【背景技術】
【０００２】
これまで、２次元の地図上にユーザの発言内容を表示するシステムとして、「World Wide Navi」が提案されている。この「World Wide Navi」では、各コンテンツに対してコンテンツに関する掲示板から最新の投稿記事を検索し、その最新の投稿記事から時間的に過去に遡った投稿記事群を抽出し、２次元に配置したコンテンツを表すサムネイル上に抽出した投稿記事を古い順に１つずつ連続して吹き出し表示している。ここで、表示の際には、１つの吹き出しで表示しており、次の吹き出しを表示する際には、現在の吹き出し上に上書きして表示しており、常に表示している吹き出しの数は、各コンテンツに対して１つである。
【０００３】
ユーザからの投稿を２次元の地図上に表現することは、地図上で実空間と同様なユーザ同士の賑わいを表現でき、賑わいによるコンテンツへの誘導に大きな効果がある（例えば、非特許文献１参照）。
【非特許文献１】日本電信電話株式会社「World Wide Navi」(http://agnv-qvsv1.nta.co-jp/WWW_TOP.htm)
【発明の開示】
【発明が解決しようとする課題】
【０００４】
実世界での会話によるユーザ同士の賑わいは、会話に参加しているユーザ数が多い程、賑わい効果が大きい。それに対し、「World Wide Navi」では、掲示板に発言しているユーザ数にかかわらず、１つのコンテンツに対し同時に表示する吹き出し数が一定であり、参加人数による賑わいが表現できない問題がある。また、ユーザ数を反映するため吹き出しを同時に複数表示したとしても、吹き出しの表現方法が同じため、会話の流れを表現できず、ユーザが会話の流れを理解できないという問題がある。
【０００５】
本発明は、上記の点に鑑みなされたもので、コンテンツに関する掲示板で会話しているユーザ数に応じた吹き出し表現方法と、吹き出しによる会話の流れを表現する会話参加人数を反映させることが可能な会議参加人数反映型会話表示方法及び装置及びプログラムを提供することを目的とする。
【課題を解決するための手段】
【０００６】
図１は、本発明の原理を説明するための図である。
【０００７】
本発明（請求項１）は、２次元の地図上のコンテンツを代表画像に配置し、また、それぞれのコンテンツが掲示板を有し、該代表画像から該掲示板の投稿記事を吹き出し表示する装置における、会話参加人数反映型会話表示方法において、
少なくとも、掲示板の投稿記事ＩＤ、投稿者ＩＤ、コンテンツＩＤ、投稿日時、投稿記事を含むユーザ投稿記憶手段を参照し、吹き出し表示する掲示板の投稿記事群のうち、最も投稿数が多い話題に関する投稿者数を求める投稿者数算出ステップ（ステップ１）と、
求められた投稿者数に基づいて、２次元の地図上に吹き出し表示する位置を決定する位置決定ステップ（ステップ２）と、
ユーザ投稿記憶手段を参照して、吹き出しを表示する順番と吹き出し表示する投稿者の重複関係に基づいて吹き出しを表示手段に複数表示する表示ステップ（ステップ３）と、を行う。
【０００８】
また、本発明（請求項２）は、表示ステップにおいて、
吹き出しを複数表示する際に、
表示手段に表示している吹き出しの順番に基づいて吹き出しの大きさを変化させ、また、現在吹き出し表示している投稿記事の投稿者に基づいて、新規で表示する吹き出しの位置を決定する。
【０００９】
また、本発明（請求項３）は、表示ステップにおいて、
ユーザ投稿記憶手段の投稿日時を参照して、吹き出し表示する投稿記事の時刻が古いほど、吹き出しを所定の縮小率に基づいて縮小して表示する。
【００１０】
図２は、本発明の原理構成図である。
【００１１】
本発明（請求項４）は、２次元の地図上のコンテンツを代表画像に配置し、また、それぞれのコンテンツが掲示板を有し、該代表画像から該掲示板の投稿記事を吹き出し表示する会話参加人数反映型会話表示装置であって、
少なくとも、掲示板の投稿記事ＩＤ、投稿者ＩＤ、コンテンツＩＤ、投稿日時、投稿記事を含むユーザ投稿記憶手段７と、
ユーザ投稿記憶手段７を参照し、吹き出し表示する掲示板の投稿記事群のうち、最も投稿数が多い話題に関する投稿者数を求める投稿者数算出手段２１と、
求められた投稿者数に基づいて、２次元の地図上に吹き出し表示する位置を決定する位置決定手段１１と、
ユーザ投稿記憶手段７を参照して、吹き出しを表示する順番と吹き出し表示する投稿者の重複関係に基づいて吹き出しを表示手段に複数表示する表示制御手段１２と、を有する。
【００１２】
また、本発明（請求項５）は、表示制御手段１２において、
吹き出しを複数表示する際に、
表示手段に表示している吹き出しの順番に基づいて吹き出しの大きさを変化させ、また、現在吹き出し表示している投稿記事の投稿者に基づいて、新規で表示する吹き出しの位置を決定する手段を含む。
【００１３】
また、本発明（請求項６）は、表示制御手段１２において、
ユーザ投稿記憶手段７の投稿日時を参照して、吹き出し表示する投稿記事の時刻が古いほど、吹き出しを所定の縮小率に基づいて縮小して表示する手段を含む。
【００１４】
本発明（請求項７）は、２次元の地図上のコンテンツを代表画像に配置し、また、それぞれのコンテンツが掲示板を有し、該代表画像から該掲示板の投稿記事を吹き出し表示する会話参加人数反映型会話表示プログラムであって、
請求項１乃至３記載の会話参加人数反映型会話表示方法を実現するための処理をコンピュータに実行させるプログラムである。
【発明の効果】
【００１５】
上記のように、本発明によれば、ユーザに、会話に参加しているユーザの数と会話の流れを、吹き出しのみで表現でき、実世界と同様な会話における発言者人数と発言内容による賑わいを表現できる。また、吹き出しの大きさを、投稿時間に応じて変化（時間の古い物を縮小表示する等）させることが可能であるため、会話の流れを表現することができる。
【発明を実施するための最良の形態】
【００１６】
以下、図面と共に本発明の実施の形態を説明する。
【００１７】
以下の説明において、掲示板における話題の単位をスレッドと呼ぶ。
【００１８】
図３は、本発明の一実施の形態における会議参加人数反映型会話表示装置の構成を示す。
【００１９】
同図に示す会議参加人数反映型会話表示装置は、吹き出し情報表示部１、吹き出し情報制御部２、吹き出し情報受信部３、情報配信部４、表示情報記憶部５、吹き出し記憶部６、ユーザ投稿記憶部７から構成される。
【００２０】
次に、上記の構成における動作を説明する。
【００２１】
図４は、本発明の一実施の形態における会議参加人数反映型会話表示方法のフローチャートである。
【００２２】
以下に示す処理の前に、予め、吹き出し情報表示部１が吹き出し表示する吹き出しの最大の大きさＭ、最小の大きさｍ、吹き出し表示する吹き出しの大きさの縮小率ａ、吹き出し最大表示数Ｄを決定し、メモリ等の記憶手段に格納しておく。また、吹き出しを表示する領域をサムネイルの上方のみとする。
【００２３】
ステップ１０１）  吹き出し情報受信部３が、情報配信部４から各コンテンツの投稿記事と、投稿したユーザ数を受信する。ここで、各コンテンツにおいて、受信した投稿記事の投稿日時が古いものから“投稿記事１”、“投稿記事２”、…、“投稿記事ｉ”，…，“投稿記事Ｎ”とし、吹き出し情報記憶部６内に投稿記事ＩＤ、投稿記事とユーザ数を格納する。格納後に、吹き出し情報受信部３は、吹き出し情報制御部２に格納終了メッセージを転送する。
【００２４】
ステップ１０２）  吹き出し情報制御部２は、吹き出し情報受信部３から格納終了メッセージを取得すると、吹き出し情報記憶部６にアクセスし、ユーザ数を取得する。このユーザ数が吹き出し最大表示数Ｍａｘ−Ｄよりも大きければ表示領域数ｄをＤとし、そうでなければユーザ数を表示領域数ｄとする。
【００２５】
ステップ１０３）  吹き出し情報制御部２は、吹き出し情報記憶部６にアクセスして、“投稿記事１”の投稿記事ＩＤを抽出し、吹き出し情報表示部１に“投稿記事１”の内容と投稿記事ＩＤ、表示領域数ｄ、表示領域を識別するための表示領域ＩＤを送信する。
【００２６】
ステップ１０４）  吹き出し情報表示部１は、吹き出し情報制御部２から“投稿記事１”の投稿記事ＩＤ、“投稿記事１”の投稿内容、表示領域数ｄ、表示領域ＩＤを受信すると、表示領域数ｄを用いて吹き出しを表示する領域を図５のようにサムネイルの上方をｄ個に分割し、“投稿記事１”の表示領域ＩＤ“１”の領域に“投稿記事１”を大きさＭで吹き出し表示する。吹き出し表示後、表示情報記憶部５に表示領域ＩＤ、投稿記事ＩＤ、吹き出しの大きさＭとして格納する。また、投稿記事のカウントｉを２とする。
【００２７】
ステップ１０５）  吹き出し情報制御部２は、“投稿記事ｉ”を投稿したユーザが、表示情報記憶部５内にある投稿記事のユーザに該当するかを調べ、該当しなければステップ１０６に移行し、該当すれば、ステップ１０７に移行する。
【００２８】
ステップ１０６）  吹き出し情報制御部２は、表示情報記憶部５内にある投稿記事の数が、表示領域数ｄよりも小さければ、吹き出し情報表示部１で現在表示していない表示領域ＩＤの最も小さい表示領域ＩＤを“投稿記事ｉ”の投稿記事内容、表示領域ＩＤを転送する。もし、表示領域数ｄと同じであれば、表示情報記憶部５内の投稿記事で、現在表示している吹き出しの大きさが最も小さい投稿記事の表示領域ＩＤを、“投稿記事ｉ”の表示領域とし、吹き出し情報表示部１に、“投稿記事ｉ”の投稿記事ＩＤ、“投稿記事ｉ”の投稿記事内容、表示領域ＩＤを転送する。ステップ１０８に移行する。
【００２９】
ステップ１０７）  吹き出し情報制御部２は、表示情報記憶部５内にある“投稿記事ｉ”のユーザ名と該当する投稿記事を探索し、該当した投稿記事ＩＤの有する表示領域ＩＤを、“投稿記事ｉ”の表示領域ＩＤとし、吹き出し情報表示部１に“投稿記事ｉ”の投稿記事ＩＤ、“投稿記事ｉ”の投稿記事内容、表示領域ＩＤを転送する。ステップ１０８に移行する。
【００３０】
ステップ１０８）  吹き出し情報表示部１は、吹き出し情報制御部２から“投稿記事ｉ”の投稿記事ＩＤ、当該“投稿記事ｉ”の投稿記事内容、表示領域ＩＤを取得すると、“投稿記事ｉ”の表示領域ＩＤの領域に“投稿記事ｉ”の投稿記事内容を大きさＭで吹き出し表示する。その次に、これまで表示していた全ての吹き出しの大きさを縮小率ａだけ縮小する。ここで、吹き出しの大きさが吹き出しの最小の大きさｍより小さいものは消去する。
【００３１】
ステップ１０９）  吹き出し情報表示部１は、表示情報記憶部５に“投稿記事ｉ”を表示した表示領域ＩＤのランへ、投稿記事ＩＤ、吹き出しの大きさをＭとして格納し、縮小した投稿記事の吹き出しの大きさを縮小した大きさに変更し、消去した吹き出しについては、該当する投稿記事ＩＤ、投稿記事内容、吹き出しの大きさを消去する。
【００３２】
ステップ１１０）  ここで、ｉ＝Ｎであれば処理を終了し、ｉ＜Ｎであれば、ステップ１１１に移行する。
【００３３】
ステップ１１１）  ｉ＝ｉ＋１として、ステップ１０５に移行する。
【実施例】
【００３４】
以下、具体例を用いて本発明の実施例を説明する。
【００３５】
図６は、本発明の一実施例の会議参加人数反映型会話表示装置の構成を示す。同図において、図３と同一構成部分には同一符号を付す。
【００３６】
同図に示す会議参加人数反映型会話表示装置は、ログイン制御部１、吹き出し情報制御部２、吹き出し情報受信部３、情報配信部４、表示情報記憶部５、吹き出し情報記憶部６、ユーザ投稿記憶部７、ログイン制御部８、コンテンツ可視化情報記憶部９、コンテンツ情報記憶部１０から構成される。
【００３７】
本実施例では、まず、初めに吹き出し情報表示部１が吹き出し表示する吹き出しの最大の大きさを“１００”、最小の大きさを“７０”、吹き出し表示する吹き出しの大きさの縮小率を“１０”、吹き出し最大表示数を“４”とし、メモリ（図示せず）に格納する。
【００３８】
ユーザがログインすると、ログイン制御部８が情報配信部４にログイン要求データを転送する。情報配信部４は、ログイン制御部８からログイン要求データを取得する。
【００３９】
情報配信部４は、コンテンツ情報記憶部１０にアクセスし、吹き出し情報表示部１に表示させるコンテンツ情報を抽出する。ここで、コンテンツ情報記憶部１０には、図７に示すように、（Ａ）コンテンツＩＤ、（Ｂ）タイトル、（Ｃ）サムネイルＵＲＬ、（Ｄ）空間座標Ｘ、（Ｅ）空間座標Ｙなどを有するコンテンツ情報が複数記憶されている。
【００４０】
本実施例では、ログイン制御部８からのログイン要求データに対し、情報配信部４は、コンテンツ情報記憶部１０内の全てのコンテンツに対し、（Ａ）コンテンツＩＤ、（Ｂ）タイトル、（Ｃ）サムネイルＵＲＬ、（Ｄ）空間座標Ｘ、（Ｅ）空間座標Ｙをカンマで連結した文字列で吹き出し情報表示部１に転送する。
【００４１】
吹き出し情報表示部１が、情報配信部４からコンテンツ情報を取得すると、情報配信部４に吹き出し情報要求を転送する。次に、吹き出し情報表示部１が取得したコンテンツ情報を１コンテンツ情報毎に分割し、各コンテンツ情報の（Ｃ）縮小サムネイルＵＲＬ先にあるサムネイルをコンテンツ可視化情報記憶部９から取得し、（Ｄ）空間Ｘ座標、（Ｅ）空間Ｙ座標に従って画面に配置する。
【００４２】
本実施例では、各コンテンツの掲示板から最も投稿記事を多く含むスレッドを抽出するため、以下のような手順で投稿記事を抽出する。
【００４３】
情報配信部４は、吹き出し情報表示部１から吹き出し情報要求を取得すると、ユーザ投稿記憶部７にアクセスし、各コンテンツの掲示板に対して最も投稿記事を多く含むスレッドを抽出する。ここで、ユーザ投稿記憶部７には、投稿記事ＩＤ、コンテンツＩＤ、スレッドＩＤ、投稿者ＩＤ、投稿日時、投稿タイトル、投稿記事が格納され、本実施例では、図８に示すような掲示板情報が記憶されている。
【００４４】
情報配信部４は、図８に示すユーザ投稿記憶部７に対し、各コンテンツへの投稿記事において、最も投稿記事を多く含むスレッドを抽出し、そのスレッドで投稿しているユーザ数を算出する。ここで、ユーザ投稿記憶部７からコンテンツＩＤが“ＦＦＦＦ１１１”のコンテンツに関する投稿記事を抽出したものを図９に示す。図９の中から投稿記事数を４つ持つスレッドＩＤ“１１２１”が抽出される。
【００４５】
上記に示すように、各コンテンツに対する掲示板において最も投稿記事を多く含むスレッドを抽出し、そのスレッドに含まれる投稿記事を投稿しているユーザ数を算出し、スレッドに含まれる投稿記事と投稿しているユーザ数を吹き出し情報受信部３に転送する。
【００４６】
吹き出し情報受信部３は、情報配信部４から各コンテンツのスレッドに含まれる投稿記事と投稿したユーザ数を取得すると、取得した投稿記事とユーザ数を吹き出し情報記憶部６に格納する。その後、吹き出し情報制御部２へ格納終了メッセージを転送する。
【００４７】
本実施例では、コンテンツＩＤが“ＦＦＦＦ１１１”のコンテンツに対する投稿記事とユーザ数を取得して、吹き出し情報記憶部６に格納したものとし、図１０に示す投稿記事、図１１に示すユーザ数で吹き出しを表示する例を説明する。
【００４８】
吹き出し情報制御部２は、吹き出し情報受信部３から格納終了メッセージを取得すると、吹き出し情報記憶部６にアクセスする。ユーザ数が“３”、吹き出し最大数も“４”のため吹き出し最大数よりも小さい数のユーザ数“３”で表示領域を決定する。
【００４９】
吹き出し情報制御部２は、吹き出し情報記憶部６にアクセスして、最も投稿日時が古い投稿記事ＩＤが“４３３”の投稿記事ＩＤと投稿タイトルを抽出し、吹き出し情報表示部１に投稿記事ＩＤ、投稿タイトル、表示領域“３”、表示領域ＩＤを“１”を転送する。
【００５０】
吹き出し情報表示部１は、吹き出し情報制御部２から投稿記事ＩＤ、投稿タイトル、表示領域“３”、表示領域ＩＤ“１”を取得すると、表示領域“３”を用いて吹き出しを表示する領域を図１２に示すコンテンツＩＤが“ＦＦＦＦ１１１”のサムネイルを中心として、上方を３等分し、“領域１”〜“領域３”を決定する。表示した例を図１３に示す。
【００５１】
吹き出し表示後、吹き出し情報表示部１は、表示情報記憶部５に表示領域ＩＤに“１”、投稿記事ＩＤに“４３３”、吹き出しの大きさを“１００”として格納する。表示情報記憶部５の内容を図１４に示す。
【００５２】
次に、吹き出し情報制御部２は、吹き出し対象とする投稿記事ＩＤが“６０３”である投稿記事の投稿者ＩＤを吹き出し情報記憶部６にアクセスして抽出し、現在吹き出し表示している表示情報記憶部５の投稿記事の投稿者ＩＤを比較する。ここで、投稿記事ＩＤ“６０３”は、投稿記事ＩＤ“４３３”の投稿者ＩＤと異なり、更に、表示領域“３”よりも現在表示している吹き出しの数が少ないため、現在表示していない表示領域Ｄの最も小さい表示領域ＩＤ“２”を投稿記事ＩＤ“６０３”の投稿記事の表示領域ＩＤとし、吹き出し情報表示部１に投稿記事ＩＤ“６０３”、投稿タイトル、表示領域ＩＤ“２”を転送する。
【００５３】
吹き出し情報表示部１は、吹き出し情報制御部２から投稿記事ＩＤ、投稿タイトル、表示領域ＩＤを取得すると、取得した表示領域ＩＤ“２”の領域に投稿タイトルを大きさ“１００”で吹き出し表示し、これまで表示していた表示領域“１”にある投稿記事ＩＤが“４３３”の吹き出しの大きさを“１０”だけ縮小して“９０”として表示する。この表示した例を図１５に示す。吹き出し表示後、表示情報記憶部５に、表示領域ＩＤ“２”、投稿記事ＩＤ“６０３”、吹き出しの大きさ“１００”を格納し、投稿記事ＩＤ“４３３”の大きさを“９０”に変更する。このときの表示情報記憶部５の内容を図１６に示す。
【００５４】
次に、吹き出し情報制御部２は、吹き出し対象とする投稿記事ＩＤが“７９１”である投稿記事の投稿者ＩＤを吹き出し情報記憶部６にアクセスして抽出し、現在吹き出し表示している表示情報記憶部５の投稿記事の投稿者ＩＤを比較する。ここで、投稿記事ＩＤ“７９１”は、投稿記事ＩＤ“４３３”、“６０３”の投稿者ＩＤと異なり、さらに表示領域ＩＤ“３”よりも現在表示している吹き出しの数が少ないため、現在表示していない表示領域ＩＤの最も小さい表示領域ＩＤ“３”を、投稿記事ＩＤ“７９１”の投稿記事の表示領域ＩＤとし、吹き出し情報表示部１に投稿記事ＩＤ“７９１”、投稿タイトル、表示領域ＩＤ“３”を転送する。
【００５５】
吹き出し情報表示部１は、吹き出し情報制御部２から投稿記事ＩＤ、投稿タイトル、表示領域ＩＤを取得すると、取得した表示領域ＩＤ“３”の領域に投稿タイトルを大きさ“１００”で吹き出し表示し、これまで表示していた表示領域ＩＤ“１”にある投稿記事ＩＤ“４３３”の吹き出しの大きさを“１０”だけ縮小して大きさ“８０”、表示領域ＩＤ“２”
にある投稿記事ＩＤ“６０３”の吹き出しの大きさを“１０”だけ縮小して“９０”として表示する。この表示した例を図１７に示す。
【００５６】
吹き出し表示後、吹き出し情報表示部１は、表示情報記憶部５に表示領域ＩＤ“２”、投稿記事ＩＤ“７９１”、吹き出しの大きさ“１００”を格納し、投稿記事ＩＤ“４３３”の吹き出しの大きさを“８０”、投稿記事ＩＤ“６０３”の吹き出しの大きさを“９０”に変更する。このときの表示情報記憶部５の内容を図１８に示す。
【００５７】
次に、吹き出し情報制御部２は、吹き出し対象とする投稿記事ＩＤ“８０１”の投稿記事の投稿者ＩＤを吹き出し情報記憶部６にアクセスして抽出し、現在吹き出し表示している表示情報記憶部５の投稿記事の投稿者ＩＤを比較する。ここで、投稿記事ＩＤ“８０１”の投稿者ＩＤと投稿記事ＩＤ“６０３の投稿者ＩＤが同じ“panda”であるため、現在表示している投稿記事ＩＤ“６０３”の表示領域ＩＤ“２”を投稿記事ＩＤ“８０１”の投稿記事の表示領域ＩＤとし、吹き出し情報表示部１に投稿記事ＩＤ“８０１”、投稿タイトル、表示領域ＩＤ“２”を転送する。
【００５８】
吹き出し情報表示部１は、吹き出し情報制御部２から投稿記事ＩＤ、投稿タイトル、表示領域ＩＤを取得すると、取得した表示領域“２”の領域に投稿タイトルを大きさ“１００”で吹き出し表示し、これまで表示していた表示領域ＩＤ“１”にある投稿記事ＩＤ“４３３”の吹き出しの大きさを“１０”だけ縮小して大きさ“７０”、表示領域ＩＤ“３”にある投稿記事ＩＤ“７９１”の吹き出しの大きさを“１０”だけ縮小して“９０”として表示する。この表示した例を図１９に示す。
【００５９】
吹き出し表示後、吹き出し情報表示部１は、表示情報記憶部５に表示領域ＩＤ“２”、投稿記事ＩＤ“８０１”、吹き出しの大きさ“１００”を格納し、投稿記事ＩＤ“４３３”の吹き出しの大きさ“７０”、投稿記事ＩＤ“７９１”の吹き出しの大きさ“９０”を変更する。このとき、表示情報記憶部５の内容を図２０に示す。
【００６０】
次に、吹き出し対象とする投稿記事ＩＤ“８２１”の投稿記事の投稿者ＩＤを吹き出し情報記憶部６にアクセスして抽出し、現在吹き出し表示している表示情報記憶部５の投稿記事の投稿者ＩＤを比較する。ここで、投稿記事ＩＤ“８２１”の投稿者ＩＤは、投稿記事ＩＤ“７９１”の投稿者ＩＤと同じため、現在表示している投稿記事ＩＤ“７９１”の表示領域ＩＤ“３”を、投稿記事ＩＤ“８２１”の投稿記事の表示領域ＩＤとし、吹き出し情報表示部１に投稿記事ＩＤ“８２１”、投稿タイトル、表示領域ＩＤ“３”を転送する。
【００６１】
吹き出し情報表示部１は、吹き出し情報制御部２から投稿記事ＩＤ、投稿タイトル、表示領域ＩＤを取得すると、取得した表示領域ＩＤ“３”の領域に投稿タイトルを大きさ“１００”で吹き出し表示する。これまで表示していた表示領域ＩＤ“１”にある投稿記事ＩＤ“４３３”の吹き出しの大きさを“１０”だけ縮小すると“６０”となり、最小の吹き出しの大きさ“７０”より小さいため消去する。また、表示領域ＩＤ“２”の投稿記事ＩＤ“８０１”の吹き出しの大きさを“１０”だけ縮小し、“９０”として表示する。この表示した例を図２１に示す。
【００６２】
吹き出し表示後、吹き出し情報表示部１は、表示情報記憶部５に表示領域ＩＤ“３”、投稿記事ＩＤ“８２１”、吹き出しの大きさ“１００”として格納し、投稿記事ＩＤ“４３３”の情報を消去し、投稿記事ＩＤ“８０１”の大きさを“９０”に変更する。このとき表示情報記憶部５の内容を図２２に示す。
【００６３】
なお、上記の吹き出し情報表示部１、吹き出し情報制御部２、吹き出し情報受信部３、情報配信部４の動作をプログラムとして構築し、会話参加人数反映型会話表示装置として利用されるコンピュータにインストールする、または、ネットワークを介して流通させることが可能である。
【００６４】
また、構築したプログラムをディスク装置や、フレキシブルディスク、ＣＤ−ＲＯＭのような可搬記憶媒体に格納することも可能である。
【００６５】
なお、本発明は、上記の実施の形態及び実施例に限定されることなく、特許請求の範囲内において種々変更・応用が可能である。
【産業上の利用可能性】
【００６６】
本発明は、World Wide Naviのような2次元画面上に掲示板に書き込まれた投稿記事について吹き出しを表示するような表示システムに適用可能である。
【図面の簡単な説明】
【００６７】
【図１】本発明の原理を説明するための図である。
【図２】本発明の原理構成図である。
【図３】本発明の一実施の形態における会議参加人数反映型会話表示装置の構成図である。
【図４】本発明の一実施の形態における会議参加人数反映型会話表示方法のフローチャートである。
【図５】本発明の一実施の形態における領域分割図である。
【図６】本発明の一実施例の会議参加人数反映型会話表示装置の構成図である。
【図７】本発明の一実施例のコンテンツ情報記憶部のコンテンツ情報の例である。
【図８】本発明の一実施例のユーザ投稿記憶部の掲示板情報である。
【図９】本発明の一実施例のコンテンツＩＤが“ＦＦＦＦ１１１”の投稿記事である。
【図１０】本発明の一実施例のスレッドＩＤが“１１２１”の投稿記事の例である。
【図１１】本発明の一実施例のユーザ数を示す図である。
【図１２】本発明の一実施例の表示領域決定図である。
【図１３】本発明の一実施例の吹き出し表示の例（その１）である。
【図１４】本発明の一実施例の表示情報記憶部の表示情報内容（その１）である。
【図１５】本発明の一実施例の吹き出し表示の例（その２）である。
【図１６】本発明の一実施例の表示情報記憶部の表示情報内容（その２）である。
【図１７】本発明の一実施例の吹き出し表示の例（その３）である。
【図１８】本発明の一実施例の表示情報記憶部の表示情報内容（その３）である。
【図１９】本発明の一実施例の吹き出し表示の例（その４）である。
【図２０】本発明の一実施例の表示情報記憶部の表示情報内容（その４）である。
【図２１】本発明の一実施例の吹き出し表示の例（その５）である。
【図２２】本発明の一実施例の表示情報記憶部の表示情報内容（その５）である。
【符号の説明】
【００６８】
１  吹き出し情報表示部
２  吹き出し情報制御部
３  吹き出し情報受信部
４  情報配信部
５  表示情報記憶部
６  吹き出し情報記憶部
７  ユーザ投稿記憶手段、ユーザ投稿記憶部
８  ログイン制御部
９  コンテンツ可視化情報記憶部
１０  コンテンツ情報記憶部
１１  位置決定手段
１２  表示制御手段
【図１】
2006113697.tif 000003
【図２】
2006113697.tif 000004
【図３】
2006113697.tif 000005
【図４】
2006113697.tif 000006
【図５】
2006113697.tif 000007
【図６】
2006113697.tif 000008
【図７】
2006113697.tif 000009
【図８】
2006113697.tif 000010
【図９】
2006113697.tif 000011
【図１０】
2006113697.tif 000012
【図１１】
2006113697.tif 000013
【図１２】
2006113697.tif 000014
【図１３】
2006113697.tif 000015
【図１４】
2006113697.tif 000016
【図１５】
2006113697.tif 000017
【図１６】
2006113697.tif 000018
【図１７】
2006113697.tif 000019
【図１８】
2006113697.tif 000020
【図１９】
2006113697.tif 000021
【図２０】
2006113697.tif 000022
【図２１】
2006113697.tif 000023
【図２２】
2006113697.tif 000024